(57)【要約】【課題】生産性を向上させることができる表示装置を提供する。【解決手段】複数の表示部２０と、複数の表示部２０を収容し、複数の表示部２０を前面側に露出させる一の開口１０ａを有するケース部材１０と、各複数の表示部２０の前面に固定される複数の透過部材４０と、複数の透過部材４０の前面４０ａに貼り付けられ、複数の透過部材４０を介して複数の表示部２０を連結するフィルム状接着部材６０と、を備える。また、フィルム状接着部材６０は、隣接する複数の表示部２０及び複数の透過部材４０の境界２４、４４を遮蔽する遮蔽層６３を有する。【選択図】図２
2020126177.tif 000002
【特許請求の範囲】
【請求項１】
複数の表示部と、
前記複数の表示部を収容し、前記複数の表示部を前面側に露出させる一の開口を有するケース部材と、
各前記複数の表示部の前面に固定される複数の透過部材と、
前記複数の透過部材の前面に貼り付けられ、前記複数の透過部材を介して前記複数の表示部を連結するフィルム状接着部材と、を備える表示装置。
【請求項２】
前記フィルム状接着部材は、隣接する前記複数の表示部及び前記複数の透過部材の境界を遮蔽する遮蔽層を有する、請求項１記載の表示装置。
【請求項３】
前記フィルム状接着部材は、スモーク調の粘着層を有する、請求項１記載の表示装置。
【請求項４】
少なくとも一の前記複数の透過部材は、スモーク調である、請求項１記載の表示装置。
【請求項５】
前記各複数の表示部と各前記複数の透過部材とを固定する複数の接着部材を更に備え、
少なくとも一の前記複数の接着部材は、前記表示部間の色調の違いを補正する補正用接着層を有する、請求項１記載の表示装置。
【発明の詳細な説明】
【技術分野】
【０００１】
本発明は、車両等に搭載される表示装置に関する。
【背景技術】
【０００２】
従来、複数の表示ユニットを単一の透光性を有する板状の透過部材に透明接着剤を介して接着した表示装置が知られている（例えば特許文献１参照）。この表示装置は、複数の表示ユニットを視認した際に、一体感を持たせることができる。
【先行技術文献】
【特許文献】
【０００３】
【特許文献１】特開２０１５−１４８６８０号公報
【発明の概要】
【発明が解決しようとする課題】
【０００４】
各表示ユニットは、透明接着剤を介して透過部材に順次貼り付けられる。しかし、１つの表示ユニットの貼付に不良が生じた場合、他の表示ユニットの貼付が良好であっても不良品となり、歩留まりを低下させていた。また、透過部材に対する複数の表示ユニットを貼り付ける作業を要するため、生産性を低下させていた。
【０００５】
本発明はこのような事情を考慮してなされたもので、生産性を向上させることができる表示装置を提供することを目的とする。
【課題を解決するための手段】
【０００６】
本発明に係る表示装置は、上述した課題を解決するために、複数の表示部と、前記複数の表示部を収容し、前記複数の表示部を前面側に露出させる一の開口を有するケース部材と、各前記複数の表示部の前面に固定される複数の透過部材と、前記複数の透過部材の前面に貼り付けられ、前記複数の透過部材を介して前記複数の表示部を連結するフィルム状接着部材と、を備える。
【発明の効果】
【０００７】
本発明に係る表示装置においては、生産性を向上させることができる。
【図面の簡単な説明】
【０００８】
【図１】本発明に係る表示装置の実施形態を示す正面図。
【図２】図１のII−II線に沿う断面図。
【図３】本発明に係る表示装置の変形例を示す断面図。
【図４】本発明に係る表示装置の他の変形例を示す断面図。
【発明を実施するための形態】
【０００９】
本発明に係る表示装置の実施形態を添付図面に基づいて説明する。本発明に係る表示装置は、複数の表示部と、この表示部を共通した透過部材を介して視認させる形態を有する全ての表示装置に適用することができ、例えば自動車や二輪車等の車両や、船舶、農業機械、建設機械に搭載され得る。
【００１０】
図１は、本発明に係る表示装置の実施形態である表示装置１を示す正面図である。
図２は、図１のII−II線に沿う断面図である。
【００１１】
以下の説明において、「前（前面）」、「後（背面）」、「上」、「下」、「右」、及び「左」は、図１から図4における定義「Ｆｒ．」、「Ｒｅ．」、「Ｔｏ．」、「Ｂｏ．」、「Ｒ」、及び「Ｌ」に従う。
【００１２】
表示装置１は、ケース１０と、表示ユニット２０と、回路基板３０と、カバー４０と、透光性接着剤５０と、フィルム６０と、を主に有する。
【００１３】
ケース（ケース部材）１０は、黒色等の樹脂（例えばポリプロピレン）からなる。ケース１０は、複数の表示ユニット２０、回路基板３０等を背面側から覆って収容し、外的衝撃や塵埃等から保護する。ケース１０は、開口１０ａを有する。開口１０ａは、複数の表示パネルを前面側に露出させる。また、ケース１０は、図示しない中ケースを有する。中ケースは、白色等の合成樹脂（例えばポリプロピレン）からなり、表示ユニット２０、回路基板３０等をケース１０の内部で支持する。
【００１４】
表示ユニット（表示部）２０は、表示パネルと、バックライトユニットと、を有する。
【００１５】
表示パネルは、例えばＴＦＴ（Thin Film Transistor）方式のノーマリーブラックタイプ（電圧非印加時、黒表示）の液晶表示パネルである。表示パネルは、液晶層を封入する一対の表面ガラス基板を有する。一対のガラス基板には、ＩＴＯ（Indium Tin Oxide）等により透明電極が形成される。また、表示パネルは、一対の表面ガラス基板を挟み込むように配置された一対の表面偏光板（偏光フィルタ）を有する。表示パネルは、ＦＰＣ（Flexible Printed Circuits）２１を介して、回路基板３０に接続される。表示パネルは、回路基板３０の制御部により制御されることにより、透明電極を介して液晶層に駆動電圧が印加される。これにより、液晶層の液晶分子の配向が制御され、表示パネルの個々の画素の透過率が変化することにより画像を表示する。
【００１６】
バックライトユニットは、表示パネルの背面側に設けられる。バックライトユニットは、光源基板及び導光体を主に有し、表示パネルを背面側から照明する。光源基板は、光源の一例である複数のＬＥＤ（Light Emitting Diode）を実装する。光源基板は、ＦＰＣ２１等の可撓性基板を介して、回路基板３０と接続される。ＬＥＤは、駆動電流が供給されると、導光体に向けて光を出射する。導光体は、ＬＥＤが出射した光を表示パネルに向けて導く。導光体は、平板状に形成された、透明樹脂（例えば、ポリメタクリル酸メチル樹脂（ＰＭＭＡ））である。
【００１７】
回路基板３０は、表示ユニット２０を制御するための制御部を主に有する。制御部は、ＣＰＵ（Central Processing Unit）、ＲＯＭ（Read Only Memory）、ＲＡＭ（Random Access Memory）等を有しており、例えば、ＲＯＭに書き込まれたプログラムに従って所定の演算処理を実行する。制御部は、例えば、車両のＥＣＵ（Electronic Control Unit）から車速、エンジン回転数、各種車両情報、ナビゲーション情報等を、各種センサ等を介して取得する。制御部は、取得した情報に基づき、表示ユニット２０に情報を表示させる。
【００１８】
カバー（透過部材）４０は、複数の表示ユニット２０の前面に固定される複数の透過部材であり、板状に形成された透光性を有する熱可塑性樹脂（例えばポリカーボネート樹脂や無機ガラスやＰＭＭＡ）である。カバー４０は、表示ユニット２０の個数に応じて複数設けられる。
【００１９】
透光性接着剤（接着部材）５０は、表示ユニット２０の表示パネルとカバー４０との間に表示パネルとカバー４０との間で両者に密着して形成され、カバー４０を表示ユニット２０の前面に固定する。すなわち、透光性接着剤５０は、オプティカルボンディングにより表示パネルとカバー４０とを接着する接着剤である。透光性接着剤５０は、カバー４０とほぼ同等の屈折率を有する、透明な樹脂材（例えばシリコーン系、ウレタン系、又はアクリル系樹脂）である。透光性接着剤５０は、カバー４０と、表示パネルとの界面反射率を低減させることができる。
【００２０】
フィルム（フィルム状接着部材）６０は、複数のカバー４０の前面４０ａに貼り付けられ、カバー４０を介して複数の表示ユニット２０を連結する。フィルム６０は、カバー４０を左右方向に配置したときの外形と一致する外形を有する。一体となったカバー４０及びフィルム６０は、ケース１０の開口１０ａを覆うことにより、ケース１０の内部の表示ユニット２０や回路基板３０を塵埃等から保護する。
【００２１】
フィルム６０は、フィルム層６１と、粘着層６２と、遮蔽層６３と、を有する。フィルム６０は、例えばカバー４０の飛散防止機能を有するのが好ましい。フィルム層６１は、ハードコート膜、ＡＲ（Anti-Reflection）、ＡＧ（Anti-Glare）等を有する樹脂フィルム（例えばポリエステルフィルム、ＴＡＣ（Triacetylcellulose）フィルム、アクリルフィルム等）である。粘着層６２は、フィルム層６１の背面に形成され、フィルム６０をカバー４０に接着するための粘着性を有する。遮蔽層６３は、フィルム６０の背面６０ｂに貼り付けられる隣接する複数の表示ユニット２０の境界２４、及び、カバー４０の境界４４、を前面から視認されないように覆い遮蔽する印刷層（例えば黒印刷層）である。遮蔽層６３は、フィルム層６１の背面（フィルム層６１と粘着層６２の間）に形成され、境界２４、４４に対応するように上下方向に線状に形成される。
【００２２】
次に、複数の表示ユニット２０及びカバー４０をフィルム６０で連結する際の作業について説明する。
【００２３】
まず、各カバー４０を、透光性接着剤５０を介して各表示ユニット２０の前面に固定する。これにより、各表示ユニット２０は、カバー４０と一体となる。
【００２４】
次に、一体となった表示ユニット２０及びカバー４０（以下、「カバー付表示ユニット２５」という）は、フィルム６０の背面６０ｂに順次貼り付けられる。これにより、３組のカバー付表示ユニット２５は、フィルム６０により連結され、フィルム６０、複数の表示ユニット２０及び複数のカバー４０は、１つの組立部品となる。このとき、隣接する表示ユニット２０の境界２４及びカバー４０の境界４４は、遮蔽層６３により遮蔽されるため、表示装置１の前面から視認した場合、境界２４、４４が目立たず、表示ユニット２０の一体感を損なわない。
【００２５】
このような表示装置１は、生産性を向上させることができる。すなわち、１枚のカバーに複数の表示ユニット２０を透光性接着剤５０で貼り付ける場合、１つの表示ユニット２０の貼付が不良であると、他の表示ユニット２０の貼付が良好であったとしても全体として不良品となり、その結果歩留まりが低下してしまう。更に、透光性接着剤５０によるカバー４０と表示ユニット２０との貼付は、気泡抑制のために真空装置内で実施される。１枚のカバーに複数の表示ユニット２０が貼り付けられる場合、カバーの大きさは大きくなり、その結果、真空装置は大型化する。真空装置の大型化は、装置の費用や生産コストを増加させてしまう。また、透光性接着剤５０は、粘着層６２よりも接着力が強いので、透光性接着剤５０で接着されたカバー４０と表示ユニット２０を剥がすことが困難である。また、仮に剥がせることができたとしても、カバー４０若しくは表示ユニット２０のどちらか一方に透光性接着剤５０が残り、再利用ができなかった。
【００２６】
これに対し、本実施形態における表示装置１は、各表示ユニット２０及び各カバー４０が一体であり、複数のカバー付表示ユニット２５をフィルム６０に貼り付ければよい。仮にフィルム６０への貼付が不良である場合には、そのカバー付表示ユニット２５をフィルム６０から剥がし、再度新たなフィルム６０に貼り付ければ良い。このため、表示装置１の歩留まりを向上させることができる。また、透光性接着剤５０によりカバー付表示ユニット２５を形成する際、上述の場合に比べて真空装置は小型化できる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００２８】
例えば、上述した実施形態において、フィルム６０の粘着層６２は、スモーク調（例えば、透過率の比較的小さい黒色系の黒色スモーク）であってもよい。これにより、隣接する複数の表示ユニット２０及びカバー４０の境界２４、４４をより一層遮蔽することができる。また、カバー４０は、スモーク調であってもよい。これにより、表示装置１は、より内部が視認されにくく、シームレス感を演出することができる。
【００２９】
また、図３に示すように、カバー４０と透光性接着剤５０との間に更に粘着性を有するスモーク調のＯＣＡ（Optically Clear Adhesive）８０（接着部材）を設けてもよい。この場合、ＯＣＡ８０にフィルム層を設けないことが好ましい。フィルム層を有する場合、フィルム層の収縮によるカバー４０の反り、フィルム層によるリタデーション、及びフィルム層による界面反射率の増加が発生する虞がある。このため、別途ＯＣＡ８０を設けることにより生じるこれらのデメリットを低減するため、フィルム層を設けないことが好ましい。
【００３０】
また、ＯＣＡ８０は、表示ユニット２０間の色調の違いを補正する補正用接着層として機能してもよい。すなわち、各表示ユニット２０が、互いに異なる仕様を有し、反射率の異なる部材（例えば光学フィルム、偏光板、インセルタッチパネル）を有する場合がある。このような場合には、各表示ユニット２０に設けられるカバー４０やＯＣＡ８０のスモークの色調を異ならせることにより、反射率の違いを補正することができる。
【００３１】
また、図４に示すように、ＯＣＡ８０は、必要な表示ユニット２０にのみ設けてもよい。図４においては、左側の表示ユニット２０ａは静電容量方式のアウトセル型のタッチパネル８１を有する。一方、右側の表示ユニット２０ｂはタッチパネル８１を有していない。このような場合、表示ユニット２０ａは、表示ユニット２０ｂに対して、タッチパネル８１を有することで反射率が高くなったり、ＩＴＯ電極により色調が変化したりする。表示ユニット２０ａにのみＯＣＡ８０を設けることで、ＯＣＡ８０は補正用接着層として、表示ユニット２０ａ、２０ｂ間の色調の違いを補正することができる。
【符号の説明】
【００３２】
１  表示装置
１０  ケース（ケース部材）
１０ａ  開口
２０、２０ａ、２０ｂ  表示ユニット（表示部）
２１  ＦＰＣ
２４、４４  境界
２５  カバー付表示ユニット
３０  回路基板
４０  カバー（透過部材）
４０ａ  前面
５０  透光性接着剤（接着部材）
６０  フィルム（フィルム状接着部材）
６０ｂ  背面
６１  フィルム層
６２  粘着層
６３  遮蔽層
８０  ＯＣＡ（接着部材）
８１  タッチパネル
【図１】
2020126177.tif 000003
【図２】
2020126177.tif 000004
【図３】
2020126177.tif 000005
【図４】
2020126177.tif 000006